(57)【要約】【課題】手持ち式エクササイズ装置を提供する。【解決手段】ハート形エクササイズ装置を用いて、個人又はグループエクササイズを行うための方法及び装置が開示される。装置は、ハート形本体及び２つ以上のハンドルを含む。一部の実施形態では、２つ以上のハンドルは、全体的に凹状の面を形成する。ハート形本体は、ハンドルとは反対の方向に全体的に凹状の面を形成できる尾部をさらに含む。ハート形本体は、１つ若しくは２つの手で使用されようと、又は一人の使用者、二人一組、若しくはグループで使用されようと、動作を誘導する２つの丸い突出部を含む。一部の実施形態では、重心は横軸に関して非対称である。一部の実施形態では、ハート形装置は、面に安定して載るように構成される。【選択図】図１
2020014880.tif 000002
【特許請求の範囲】
【請求項１】
ハート形本体と、
前記本体内の２つ以上のハンドルと、を備えるハート形エクササイズ装置。
【請求項２】
前記ハート形本体は２つの丸い突出部を備え、第１の丸い突出部の外縁は第１のハンドルであり、及び第２の丸い突出部の外縁は第２のハンドルである、請求項１に記載の手持ち式エクササイズ装置。
【請求項３】
前記ハート形本体は、第１及び第２の丸い突出部を備え、前記第１及び第２の丸い突出部は、第１及び第２のハンドルをそれぞれ規定する第１及び第２の開口を有する、請求項１に記載の手持ち式エクササイズ装置。
【請求項４】
前記ハート形本体の中央部分で、前記第１及び第２の開口間に形成された第３のハンドルをさらに備える、請求項３に記載の手持ち式装置。
【請求項５】
前記ハート形本体及び前記２つ以上のハンドルは一体に形成される、請求項１に記載の手持ち式エクササイズ装置。
【請求項６】
前記ハート形本体は尾部を備える、請求項１に記載の手持ち式装置。
【請求項７】
前記ハート形本体は、前記第１及び丸い突出部間に規定された割れ目部を備える、請求項６に記載の手持ち式装置。
【請求項８】
前記割れ目部の弧と前記尾部の弧との間の比率は約０．７５〜１．５である、請求項７に記載の手持ち式装置。
【請求項９】
前記割れ目部の弧と前記尾部の弧との間の比率は約１．０である、請求項７に記載の手持ち式装置。
【請求項１０】
前記２つ以上のハンドルは、上向きにかつ前記ハート形本体から離れる方向に湾曲する２つのハンドルを含む、請求項１に記載の手持ち式装置。
【請求項１１】
前記２つのハンドルのそれぞれの曲率角は約０°〜４５°である、請求項１に記載の手持ち式装置。
【請求項１２】
前記尾部は、下向きにかつ前記ハート形本体から離れる方向に湾曲する、請求項６に記載の手持ち式装置。
【請求項１３】
前記尾部の曲率角は約０°〜約４５°である、請求項１２に記載の手持ち式装置。
【請求項１４】
前記ハート形本体は、使用者の身体の輪郭に合わせた第１の側と、前記第１の側とは反対側で、面に安定して載るように構成された第２の側と、を備える、請求項１に記載の手持ち式装置。
【請求項１５】
前記第２の側が前記面に置かれると、前記ハート形本体の尾部、第１の丸い突出部、及び第２の丸い突出部のそれぞれが前記面と接触する、請求項１４に記載の手持ち式装置。
【請求項１６】
前記ハート形本体に配置された１つ又は複数のスピーカをさらに備える、請求項１に記載の手持ち式装置。
【請求項１７】
前記ハート形本体に配置された１つ又は複数の発光体をさらに備える、請求項１に記載の手持ち式装置。
【請求項１８】
前記ハート形本体は、スマートフォン及び電子リーダの一方を収容する大きさの凹部を備える、請求項１に記載の手持ち式装置。
【請求項１９】
ハート形本体と、２つ以上のハンドルとを有するハート形エクササイズ装置を使用する方法であって、
１つ又は複数のハンドルを把持することと、
前記ハート形装置を移動させることと、を含む方法。
【請求項２０】
前記１つ又は複数のハンドルを把持することは、前記ハート形本体の第１及び第２の丸い突出部が上を向いた状態で、前記１つ又は複数のハンドルを把持することを含む、請求項１９に記載の方法。
【請求項２１】
前記１つ又は複数のハンドルを把持することは、第１の使用者が前記１つ又は複数のハンドルを把持することを含み、前記ハート形装置を移動させることは、前記ハート形装置を前記第１の使用者の身体の周りで移動させることを含む、請求項１９に記載の方法。
【請求項２２】
前記１つ又は複数のハンドルを把持することは、第１の使用者が第１のハンドルを把持することと、第２の使用者が第２のハンドルを把持することとを含み、前記ハート形装置を移動させることは、前記ハート形装置を前記第１及び第２の使用者間で移動させることを含む、請求項１９に記載の方法。
【請求項２３】
前記第１の使用者が第２のハート形装置の第１のハンドルを把持することと、
前記第２の使用者が前記第２のハート形装置の第２のハンドルを把持することと、
前記第１及び第２のハート形装置を前記第１及び第２の使用者間で移動させることと、をさらに含む、請求項２２に記載の方法。
【請求項２４】
前記１つ又は複数のハンドルを把持することは、前記ハート形本体の中央に配置された第１のハンドルを把持することを含み、前記第１のハンドルは、それぞれ第１及び第２の丸い突出部における第１及び第２の開口間に配置される、請求項１９に記載の方法。
【請求項２５】
前記第２の使用者が第２のハート形装置の第１のハンドルを把持することと、
第３の使用者が前記第２のハート形装置の第２のハンドルを把持することと、
前記第３の使用者が第３のハート形装置の第１のハンドルを把持することと、
前記第１の使用者が前記第３のハート形装置の第２のハンドルを把持することと、をさらに含み、
前記第１、第２、及び第３の使用者は輪をなしている、請求項２２に記載の方法。
【請求項２６】
本体と、
前記本体に連結された２つ以上のハンドルと、を含み、
前記本体及び前記２つ以上のハンドルは協働してハート形状を形成する、ハート形エクササイズ装置。
【発明の詳細な説明】
【技術分野】
【０００１】
関連出願の相互参照
本願は、米国特許法第１１９条（ｅ）に基づき、２０１４年８月９日に出願された「HEART SHAPED EXERCISE DEVICE USED SOLO, WITH A PARTNER, OR IN A GROUP FOR WELLNESS, THERAPY AND FITNESS」という名称の米国仮特許出願第６２／０３５，４１１号に対する利益を主張するものであり、この特許出願の全体が参照により本明細書に組み入れられる。
【０００２】
開示される実施形態は、概して、エクササイズ装置に関し、さらに詳細には、手持ち式エクササイズ装置に関する。
【背景技術】
【０００３】
手持ち式エクササイズ装置（例えば、ダンベル及びケトルベルなどの手持ち式ウェート）は、通常、ウェートリフティング及び先進のトレーニングエクササイズに使用される。例えば、米国特許第５，５９２，９９６号明細書は、ウェートリフティング及び有酸素トレーニングに使用することができる、楕円形で彫りのあるウェートについて説明している。しかしながら、そのような公知の装置は、その装置を用いて流れるような空力的動作を行う使用者、衝撃の小さいエクササイズ装置を求めている使用者（例えば、心臓発作などの病気から回復した使用者、病的肥満の使用者、子供、又は年配者）、又は装置を用いて二人一組若しくはグループのエクササイズを行うことを望む使用者にとって、満足のいく問題解決策を提供しない。
【発明の概要】
【０００４】
一実施形態によれば、ハート形エクササイズ装置が開示される。ハート形エクササイズ装置は、ハート形本体と、本体内の２つ以上のハンドルと、を含む。
【０００５】
別の実施形態によれば、ハート形本体と、２つ以上のハンドルと、を有するハート形エクササイズ装置を使用する方法が開示される。方法は、１つ又は複数のハンドルを把持することと、ハート形装置を移動させることと、を含む。
【０００６】
さらに別の実施形態によれば、ハート形エクササイズが開示される。ハート形装置は、本体と、本体に連結された２つ以上のハンドルと、を含む。本体及びハンドルは協働してハート形状を形成する。
【０００７】
当然のことながら、前述の概念と下記に説明される他の概念とは、本開示がこの点において限定されないことから、任意の適切な組み合わせで構成することができる。
【０００８】
本教示の前述の及び他の態様、実施形態、及び特徴は、添付の図面に対応した以下の説明からより詳細に理解することができる。
【０００９】
添付の図面は、一定の縮尺で作図されることを意図されていない。図面において、様々な図で示されるそれぞれの同一又はほぼ同一の構成要素は、同じ数字で表される。明瞭にするために、各図面においてすべての構成要素に符号を付けるとは限らない。
【図面の簡単な説明】
【００１０】
【図１】一実施形態によるハート形装置の斜視図である。
【図２】図１のハート形装置の正面図である。
【図３】図１のハート形装置の側面図である。
【図４】別の実施形態によるハート形装置の正面図である。
【図５】別の実施形態によるハート形装置の正面図である。
【図６】一実施形態による、空間を移動するハート形装置の概略図である。
【図７】一実施形態によるハート形装置の中央ハンドルの拡大図である。
【図８】一実施形態による、面上のハート形装置の第１の側の底面図である。
【図９】面上の図８のハート形装置の第２の側の平面図である。
【図１０Ａ】一実施形態によるハート形装置の斜視図である。
【図１０Ｂ】スマートフォンを取り付けた図１０Ａのハート形装置の正面図である。
【図１１】一実施形態による、電子リーダを取り付けたハート形装置の正面図である。
【図１２】一実施形態による、スタンドに載せ、スマートフォンを取り付けたハート形装置の斜視図である。
【図１３】一実施形態によるハート形装置の正面図である。
【図１４】別の実施形態によるハート形装置の正面図である。
【図１５】使用者がハート形装置を保持した正面図である。
【図１６Ａ】ハート形装置が円形エクササイズ動作で使用されている画像である。
【図１６Ｂ】ハート形装置が円形エクササイズ動作で使用されている画像である。
【図１６Ｃ】ハート形装置が円形エクササイズ動作で使用されている画像である。
【図１６Ｄ】ハート形装置が円形エクササイズ動作で使用されている画像である。
【図１７Ａ】ハート形装置が通常の腕立て伏せに使用されている画像である。
【図１７Ｂ】ハート形装置が通常の腕立て伏せに使用されている画像である。
【図１８Ａ】ハート形装置が腹筋エクササイズに使用されている画像である。
【図１８Ｂ】ハート形装置が腹筋エクササイズに使用されている画像である。
【図１９】ハート形装置がヨガポーズで使用されている画像である。
【図２０Ａ】ハート形装置が片手エクササイズで使用されている画像である。
【図２０Ｂ】ハート形装置が片手エクササイズで使用されている画像である。
【図２０Ｃ】ハート形装置が片手エクササイズで使用されている画像である。
【図２０Ｄ】ハート形装置が片手エクササイズで使用されている画像である。
【図２１】ハート形装置が自己マッサージに使用されている画像である。
【図２２】ハート形装置が患者に対して指圧療法を行う療法士によって使用されている画像である。
【図２３】ハート形装置がマッサージプロトコル（massage protocol）のツボを刺激するために療法士によって使用されている画像である。
【図２４】ハート形装置が使用者の腰を支持し、伸ばすために使用されている画像である。
【図２５】ハート形装置が二人一組のエクササイズに使用されている画像である。
【図２６】グループエクササイズで使用されている複数のハート形装置を示す。
【図２７Ａ】二人一組の様々なエクササイズルーチンで使用されているハート形装置を示す。
【図２７Ｂ】二人一組の様々なエクササイズルーチンで使用されているハート形装置を示す。
【図２７Ｃ】二人一組の様々なエクササイズルーチンで使用されているハート形装置を示す。
【図２７Ｄ】二人一組の様々なエクササイズルーチンで使用されているハート形装置を示す。
【図２８】複雑な背中合わせエクササイズルーチンで、パートナー同士によって使用されているハート形装置を示す。
【図２９Ａ】グループエクササイズルーチンで使用されているハート形装置を示す。
【図２９Ｂ】グループエクササイズルーチンで使用されているハート形装置を示す。
【図２９Ｃ】グループエクササイズルーチンで使用されているハート形装置を示す。
【図２９Ｄ】グループエクササイズルーチンで使用されているハート形装置を示す。
【図２９Ｅ】グループエクササイズルーチンで使用されているハート形装置を示す。
【発明を実施するための形態】
【００１１】
ダンベル及びケトルベルなどの手持ち式エクササイズ装置は、先進のトレーニングエクササイズを行うのに使用される。例えば、使用者は、筋力トレーニング及び／又はボディビルディング用の特定のエクササイズセットを行うために、ウェートを持ち上げることができる。しかしながら、そのような装置は、衝撃の小さいエクササイズ、空力的動作を含むエクササイズ、又は二人一組若しくはグループでのエクササイズに対する満足のいく問題解決策にならない。
【００１２】
本出願人は、ハート形本体及びハンドルを備えたエクササイズ装置を提供することで、様々な利益を得ることができると分かった。従って、本明細書で開示する実施形態は、２つの丸い突出部、丸い突出部間に規定される割れ目部、及び尾部を備えたハート形本体を有するハート形エクササイズ装置を含む。一部の実施形態では、ハート形本体は、１つ又は複数の曲面を有する。一部の実施形態では、重心は装置上で非対称的に配置される。
【００１３】
一態様によれば、ハート形装置は、緩やかなエクササイズ及び流れるような空力的動作を促し、容易にする形状とされる。例えば、一部の実施形態では、ハンドルは、使用者の身体に合わせて、装置の第１の側で全体的に凹状の態様で湾曲する。そのような実施形態では、ハンドルは、これらの流れるような動作を促進するために、本体の中心領域から外に向かって扇形に広がることができる。一部の実施形態では、尾部も、第２の反対の側で、全体的に凹状の態様で使用者の身体から離れる方向に湾曲することができる。割れ目の弧及び尾部の弧は、重心が横軸に関して非対称であるように配置することができる。重心のこの非対称性は、ハート部の丸い突出部を用いて、（例えば、使用者の身体の周りの円形パターンで）使用者の動作を先導するように使用者を促すことで、（例えば、ハート形装置の周りのエネルギ及び空気の）移動の自然な流れを引き起こすことができる。尾部はまた、そのような移動を終えるナチュラルポイント（natural point）として機能することができる。
【００１４】
一実施形態では、ハート形エクササイズ装置は、ハート部の丸い突出部に組み入れた２つの手用穴を含む。装置は、保持された場合に身体に向かって湾曲して、ねじり運動を行った場合に弧をなし、頭の後ろ又は背中で保持された場合に、身体の形状と合致すると説明するのが最も適切な独自の形態を含む。装置はまた、背面の下点からハンドルに向かって反向曲線で扇形に広がり、使用時及び運動時に対象がバランスの取れたまま、及び空力的なままであることを可能にする。
【００１５】
別の態様によれば、ハート形装置（例えば、上部に丸い突出部を有し、底部に尾部を有するハート形本体）の特有の非対称性は、装置をどちらで保持及び／又は使用すべきかを使用者に明瞭な方法で提示する。すなわち、長手軸及び横軸に関して対称である既存の手持ち式装置（例えば、米国特許第５，５９２，９９６号明細書に記載の楕円形ウェート）とは異なり、ハート形装置は、明確に規定された（かつ十分に見分けがつく）上部及び底部を有するため、新たな使用者は、適切な位置で装置を把持するように自然に仕向けられる。さらに、ハート形装置は、新たな使用者、体調不良者、及び／又は医学的状態（例えば、心疾患から癌まで）のリハビリを必要とする人、他にエリートの能力トレーニング用（例えば、特殊軍隊用及び／又はプロフェッショナルアスリート用）に設計された既存のエクササイズ装置を避ける使用者に受け入れられる。
【００１６】
さらに別の実施形態によれば、ハート形装置は、面（例えば、地面）に安定して載るように構成される。例えば、ハート側装置は、２つの接触点のみを有し、面に置かれたときにぐらつく既存の装置とは異なり、使用時に安定して載るために、面と接触する少なくとも３つの点を有する。当然のことであるが、面上のハート形装置の安定性を改善することで、エクササイズがより簡単になり、従って、使用者が完遂するのにより安全になり得る。すなわち、地面又はマットエクササイズ（例えば、腕立て伏せ、ヨガのダウンワードドッグ、アップワードドッグ、又は板の姿勢）に使用する場合、不安定な又はぐらつく装置を有することは、高い難易度をもたらされた上級使用者に独自の難題をもたらすことがあり、それと同時に、新たな使用者に安全上の問題をもたらすことがある。
【００１７】
別の態様によれば、ハート形装置は、ヨガ、又は太極拳、又はリハビリなどの心身物理療法に使用することができる。
【００１８】
さらに別の態様によれば、ハート形装置は、個人のエクササイズに、パートナーと共に、又はグループ連結エクササイズで使用することができる。一部の実施形態では、様々な個人又はグループエクササイズを行うために、一人の使用者又は二人以上の使用者が、ハート形装置の２つ以上のハンドルを把持することができる。例えば、１つ又は複数のハート形装置は、一緒にエクササイズを行うことを望むカップルが使用することができ、多くの場合にダンスに伴う懸念なしに、つながって、非言語的にコミュニケーションを取るためのより多くの方法を提供する。他の実施形態では、グループを組む人々は、いくつかのハート形装置を使用して輪を形成することにより、エネルギを共有しながら、信頼及びチーム構築エクササイズを行うことができる。例えば、ハート形装置は、輪を形成した状態の個々人の各対間で保持することができる。当然のことであるが、そのような実施形態では、使用者は、直接手を握る必要なく、（例えば、ハート形装置を把持することで）互いにつながることができる。これは、手を握ることがグループ活動の障害になることが多いため、グループエクササイズを容易にし、促進することさえできる。さらに、個人で又はパートナー若しくはグループと共に、内部及び外部エネルギの流れを引き起こすことができる。
【００１９】
さらに別の実施形態によれば、ハート形装置は、自己マッサージ及び／若しくはヒーリング、又は施術者による患者に対するマッサージ若しくはツボヒーリングのいずれかに使用することができる。すなわち、ハート形状装置は、ハンドルを有する療法ツールとして使用することができる。例えば、装置の尾部又は丸い突起部は、指圧タイププロトコル（acupressure type protocol）に使用することができる。
【００２０】
さらに別の態様によれば、ハート形装置は、使用者が自らについて考えながら、又は社会的交流のある他者と共に、心を中心とした作用である情緒的感情を気軽に又は真剣に体験することを可能にする一体化形態を形成することができる。最初に、装置の正面図は、ハート及び心の感情を普遍的にシンボル化した形状の派生形態である。すなわち、使用者は、広く認知された人間の心に対するシンボルを最初に見て、その後、（例えば、ハンドルによって）物理的に把持することができる。換言すると、使用者は、使用者の手にハートを把持することができ、これは、人が自らの身体に健全な心を有することを伝えることを可能にする。さらに、この形態を用いて、人の手で、及びパートナー又はグループの力でエクササイズを行うことにより、単独で、パートナーと共に、又はグループの一員としてエクササイズを行うときに、独自の心からの心理学的及び情緒的反応が使用者から引き出される。ハート形装置はまた、人的交流を深めることで社会革新に関与することができ、パートナー及びグループ用の特別に振り付けられた動作パターンにこの装置を使用することで、人々の間の良好な作用に関与することができる。
【００２１】
別の態様によれば、ハート形装置は、心身作用及び健康をもたらす。例えば、一部の実施形態では、ハート形装置は、背骨の再平衡化、筋肉組織の再平衡化に使用することができ、一連の静的ポーズ（例えば、太陽礼拝）を通じた気の移動、又はダンス若しくは太極拳と同様の一連の動作を通じた気の移動に使用することができる。
【００２２】
一部の実施形態では、ハート形装置は、通常のウェートリフティング及びベンチプレスエクササイズを行う大きさとされる。そのような実施形態では、割れ目部は、ハート形装置が使用者のあごを障害なく通り過ぎることができるように、使用者のあごに合わせた大きさとされる。
【００２３】
ここで図を参照すると、図１及び図２は、一態様による手持ち式エクササイズ装置１００を示す。これらの図に示すように、装置１００は、第１の丸い突出部１０４ａ、第２の丸い突出部１０４ｂ、及び尾部１０６を有するほぼハート形の本体１０２を含む。当然のことであるが、他の実施形態では、ハートの形状は多少強調されることがある。図１及び図２に示すように、ハート形本体１０２はまた、第１の丸い突出部１０４ａと第２の丸い突出部１０４ｂとの間に規定される割れ目部１０８を含む。
【００２４】
一部の実施形態では、図２に示すように、丸い突出部１０４ａ、１０４ｂは、長手軸Ａ１に関して対称である。すなわち、第１の丸い突出部１０４ａは、第２の丸い突出部１０４ｂと同じ大きさとすることができる。丸い突出部１０４ａ、１０４ｂはまた、他の実施形態において長手軸Ａ１に関して非対称とすることもできる。例えば、第１の丸い突出部１０４ａは、第２の丸い突出部１０４ｂと異なる大きさとすることができ、一方で、それでもなおハート形の又はほぼハート形の本体を維持する。
【００２５】
図２に示すように、本体は、一部の実施形態では約８インチ〜約２４インチである幅Ｗｂを有する。他の実施形態では、本体の幅Ｗｂは、約１１インチ〜１２インチである。一実施形態では、本体のＷｂは、約１１．７５インチである。本体はまた、一部の実施形態では約５インチ〜約１８インチである長さＬｂを有する。一部の実施形態では、割れ目部１０８のベース部から尾部１０６の端部までの本体の長さは、約８．２５インチの長さである。図３に示すように、装置１００は、一部の実施形態では約０．２５インチ〜８インチである厚さＴｂを有する。一部の実施形態では、厚さは、約０．７５インチ〜１．５インチである。当然のことであるが、厚さＴｂは、使用される材料に応じて変えることができる。さらに当然のことであるが、装置の他の適切な幅、長さ、及び厚さを他の実施形態で使用することができる。
【００２６】
別の態様によれば、ハート形装置は、一人又は複数人の使用者が装置を把持し、エクササイズ（例えば、図１６Ａ〜図１６Ｄに示すものなど、決まった手順の自由に流れるような空力的動作）を行うことを可能にするハンドルを含む。図２に示すように、各丸い突出部１０４ａ、１０４ｂは、それぞれ開口１１０ａ、１１０ｂを有することができ、これらの開口１１０ａ、１１０ｂは、第１のハンドル１１２ａ、第２のハンドル１１２ｂ、及び第３のハンドル１１２ｃを規定する。図２に示す実施形態では、ハンドル１１２ａ、１１２ｂ、１１２ｃは、本体１０２と一体で形成されている。第１のハンドル１１２ａ及び第２のハンドル１１２ｂは、互いに対称とすることができる。第３のハンドル１１２ｃは、丸い突出部１０４ａ、１０４ｂの２つの開口１１０ａ、１１０ｂ間で、本体１０２の中央領域に配置することができる。
【００２７】
他の実施形態では、図４に示すように、ハンドルは、本体１０２に取り付ける（例えば、丸い突出部１０４ａ、１０４ｂに取り付ける）ことができる。そのような実施形態では、ハンドルは、本体と完全に重なり合うことができるが、ハンドルは、本体から外側に（例えば、本体に対して垂直に）突出することもできる。一部の実施形態では、ハンドルは、本体１０２に取り外し可能に取り付けることができる。他の実施形態では、ハンドル１１２ａ、１１２ｂは、丸い突出部１０４ａ、１０４ｂ自体の周縁部とすることができる（例えば、開口がない場合、又は図５に示すように単一の中央開口がある場合）。
【００２８】
３つのハンドルが図２の実施形態に示されているが、他の実施形態では、装置は、（例えば、図４及び図５に示すように）２つのみのハンドルを有することもできる。他の実施形態では、装置１００は、４つ以上のハンドルを有することもできる。当然のことであるが、装置１００は、ハンドルを多少なりとも形成するために、丸い突出部又は本体の他の適切な部分に多少の開口を有することができる。
【００２９】
一部の実施形態では、図２に示すように、開口１１０ａ、１１０ｂは、約１．２５インチ〜５インチの幅Ｗｏを有する。開口１１０ａ、１１０ｂはまた、約２．７５インチ〜１２インチの高さＨｏを有する。当然のことであるが、開口の他の適切な幅及び高さを使用することができる。さらに当然のことであるが、これらの実施形態において、開口は、同じ幅及び高さを有するとして示されているが、他の実施形態では、第１の開口１１０ａは、第２の開口１１０ｂと異なる幅及び／又は高さを有することができる。
【００３０】
一部の実施形態では、図３に示すように、第１のハンドル１１２ａ、及び第２のハンドル１１２ｂは直径Ｄｈを有し、この直径Ｄｈは、一部の実施形態では約０．５インチ〜３．０インチである。一部の実施形態では、ハンドルの直径Ｄｈは、約０．７５インチ〜１．５インチである。当然のことであるが、一部の実施形態では、装置は、第１及び第２のハンドルの直径が、特定の使用者の握りに合わせて選択及び製造できる方法で（例えば、３Ｄ印刷によって）製造することができる。他の実施形態では、第１及び第２のハンドルの直径を大きくするために、各ハンドルを覆ってスリーブを配置することができる。一部の実施形態では、各ハンドルの長さ（例えば、ハンドルの外周に沿った長さ）は、約３インチ〜４．５インチである。
【００３１】
再度図２を参照して、一部の実施形態では、第３のハンドル１１２ｃは、約２インチ〜約１６インチの幅Ｗｃを有する。一実施形態では、第３のハンドルの幅Ｗｃは約２．５インチである。第３のハンドル１１２ｃは、約０．７５インチ〜１．５インチの厚さを有することができる。一部の実施形態では、第３のハンドル１１２ｃの厚さは、第１のハンドル１１２ａ及び第２のハンドル１１２ｂの直径と同じである。当然のことであるが、第３のハンドル１１２ｃの厚さは、第１のハンドル１１２ａ及び第２のハンドル１１２ｂの直径と異なってもよい。一部の実施形態では、第３のハンドルは、隆起部分１１４（例えば、若干湾曲した隆起部分）を含み、この隆起部分１１４により、使用者が、ハンドエクササイズを行うために、使用者の指で第３のハンドルを把持することが可能になる。
【００３２】
別の態様によれば、ハート形装置は、エクササイズを行う使用者による流れるような空力的動作を促し、引き起こすように構成されている。一部の実施形態では、流れるような動作は、ハート形状を有するように装置を構成することでもたらされる。すなわち、装置は、上部の丸い突出部と底部の尾部とを含む非対称な形状を有し、この非対称な形状は、装置が空間を移動するときに、（例えば、ハート形装置の周りの空気及びエネルギの）流れるような動作を容易にする。一部の実施形態では、ハートの上部は、使用者の身体の周りを移動するときに空間を切り通す。
【００３３】
ハート形装置によって引き起こされる、流れるような動作の例が図６に示されている。この図に示すように、丸い突出部が移動を先導するようにハート形装置が移動すると、ハート形装置が空間を通過するときに、空気及びエネルギは対象物を越えて進む（Ｅの符号の付いた矢印を参照のこと）。空気及びエネルギは尾部１０６を介して装置から離れる。
【００３４】
流れるような動作はまた、装置の重心を長手軸Ａ２に関して非対称にすることで引き起こすこともできる。例えば、一実施形態では、図２に示すように、重心１１６は、装置のディレクトセンタ（direct center）（例えば、第３のハンドル１１２ｃの中心）の上に配置することができる。重心はまた、装置のディレクトセンタの下、割れ目部１０８のベース部、又は尾部１０６のベース部に配置することもできる。当然のことであるが、他の実施形態では、重心は、すべての軸（Ａ１、Ａ２、Ａ３）に関して対称であり得る。
【００３５】
一部の実施形態では、重心を適切な位置に置くために、支点（fulcrum）が、装置のディレクトセンタの上（例えば、第３のハンドルの中心の上）、装置のディレクトセンタの下、支点のベース部、尾部のベース部、又は装置のディレクトセンタに存在できるように、本体の厚さが変えられる。
【００３６】
他の実施形態では、重心は、割れ目部の弧Ａｃ及び尾部の弧Ａｔを変えることで適切な位置に置くことができる。本明細書において、尾部の弧とは、尾部の第１の周縁壁と尾部の第２の周縁壁との間の角度を意味することができる。割れ目部の弧とは、割れ目部に隣接する第１の丸い突出部の周縁壁と、割れ目部に隣接する第２の丸い突出部の周縁壁との間の角度を意味することができる。一部の実施形態では、割れ目部の弧Ａｃは、約３０°〜約１２０°とすることができる。そのような実施形態では、尾部の弧Ａｔは、約４０°〜１６０°とすることができる。一部の実施形態では、重心の最適な位置は、割れ目部の弧と尾部の弧との間の比率（例えば、Ａｃ／Ａｔ）によって判定することができる。一部の実施形態では、重心は、比率が約０．５〜約１．５の場合に適切に配置される。一実施形態では、重心は、比率が約１．０の場合に最適に配置される。すなわち、一部の実施形態では、重心を適切に配置するために、尾部の弧Ａｔと割れ目部の弧Ａｃとは実質的に等しくなっている。そのような実施形態では、重心は、（例えば、図２に要素１１６で示すように）装置の中心より若干上に配置される。
【００３７】
他の実施形態では、装置は、本体から外に向かって、互いに反対の方向に湾曲するハンドル及び尾部を設けることによって流れを引き起こすように構成される。例えば、図９に示すように、ハンドルは、ハート形本体から上に向かって（例えば、横軸の周りに）湾曲して、全体的に凹形状を形成している。各ハンドルの曲率角θＨは、約０°〜約４５°とすることができる。当然のことであるが、ハンドルは、この図では同じ曲率角を有して示されているが、他の実施形態では、各ハンドルの曲率角は異なってよい。一部の実施形態では、ハンドルの曲率は、通風効果（fanning effect）をもたらす。図７は、ハンドルの曲率又は通風を示す第３のハンドル（例えば、本体の中央部分）の拡大図を示す。
【００３８】
図３に示すように、尾部１０６は、ハート形本体から下に向かって（例えば、長手軸の周りに）湾曲して、全体的に凹形状を形成している。尾部の曲率角θＴは、約０°〜約４５°である。尾部の曲率角は、各ハンドルの曲率角と同じである必要はないが、一部の実施形態では、ハンドル及び尾部は、同じ曲率角を有する。
【００３９】
当然のことであるが、ハンドル及び尾部は、これらの実施形態では曲率を有するとして示されているが、他の実施形態では、ハンドルのみが湾曲してよく、かつ／又は尾部のみが湾曲してもよい。一部の実施形態では、１つのみのハンドル及び尾部が湾曲してよい。
【００４０】
別の態様によれば、装置は、床又はマットエクササイズ（例えば、図１７Ａ〜図１７Ｂ、及び図１９に示すエクササイズ）中に面に安定して載るように構成されている。図８及び図９に示すように、装置１００は、第１の身体接触側１１８と、装置を面１２２に安定して載せるための、第１の側とは反対側の第２の側１２０とを有する。使用時、図９に示すように、装置の第２の側１２０が面１２２に置かれると、装置１００は、３つの位置１２４ａ、１２４ｂ、１２４ｃで面に接触する。一実施形態では、第１の接触点１２４ａ及び第２の接触点１２４ｂは、本体の第１の丸い突出部１０４ａ及び第２の丸い突出部１０４ｂである。そのような実施形態では、第３の接触点１２４ｃは本体の尾部である。当然のことであるが、この実施形態では、ハート形装置の丸い突出部及び尾部は接触するとして示されているが、本体は、他の位置が床と接触するように構成することができる。
【００４１】
図８に示すように、身体接触側が面に置かれた場合、第１及び第２のハンドルのみが面１２４に接触している。当然のことであるが、この２点接触は、エクササイズをするのに第２の休止側１２２の３点接触ほど安定しない。しかしながら、より難易度の高いエクササイズを望む使用者に対して、そのような構成を使用することができる。一部の実施形態では、身体接触側は、使用者の体形に合致する。
【００４２】
別の態様によれば、ハート形装置２００は、１台の電子機器（例えば、アイフォーンなどのスマートフォン）を支持するように構成することができる。一部の実施形態では、図１０Ａに示すように、本体は、スマートフォン２２８を挿入できる凹部２２６を含む。示すように、凹部２２６の大きさは、スマートフォン２２８の大きさに一致し、スマートフォン２２８は、確実に係合するように凹部２２６にスナップ式に嵌め込まれる（図１０Ｂを参照のこと）。この図では、凹部は、スマートフォンと係合するように示されているが、他の実施形態では、他の取付け機構を使用して、スマートフォンを固定することができる。例えば、装置の本体は、クリップ、スナップ、フック、又はスマートフォンと係合するための他の適切な取付け機構を含むことができる。一部の実施形態では、スマートフォンは、装置と取り外し可能に係合する。図１０Ａに示すように、本体は、スマートフォンを凹部から取り外すために、使用者の指を挿入することができる切り抜き部２３０を含むことができる。
【００４３】
図１１は、電子リーダ（例えば、アイパッド）と係合している装置３００を示す。一部の実施形態では、装置３００は、電子リーダ３３２を着脱するための（例えば、図１０Ａに示す装置と同様の）凹部及び切り抜き部（図示せず）を含む。当然ことであるが、そのような実施形態では、ポートが電子リーダを受け入れる大きさとされる。装置３００は、電子リーダと係合するための他の取付け機構を有することができる。
【００４４】
図１２に示すように、一部の実施形態では、使用者が、装置を保持することなく使用者のスマートフォン又は電子リーダを見ることができるように、装置４００を直立した状態で静止させるために、スタンド４３４を使用することができる。そのような実施形態では、スタンド４３４は、装置４００の尾部４０６を受ける大きさの開口４３６を含むことができる。当然のことであるが、他の実施形態では、スタンドは、他の構成を有することができる。さらに、他の実施形態では、装置を直立した状態に維持するために他の構造を使用することもできる。
【００４５】
当然のことであるが、装置は、プラスチック、木材、ゴム、金属、又は他の適切な材料で作製することができる。装置はまた、柔らかいネオプレンタイプの材料、ビニル、ゴム、又はクロムめっきで被覆することができる。一部の実施形態では、そのような被覆は、装置を把持して取り扱うことをより容易にし、落下時に損傷しにくくすることができる。装置はまた、装置に所望の質量（例えば、重量１ポンド）を付与するために、プラスチックシェルで作製し、適切な材料を充填することができる。そのようなシェルは、様々な電子機器を装置に内蔵することも可能にする。
【００４６】
例えば、図１３及び図１４に示すように、装置５００は、音（例えば、音楽）が装置から再生されることを可能にする１つ又は複数のスピーカ５４０を含むことができる（図１３は１つのスピーカを有し、図１４は５つのスピーカを有する）。一部の実施形態では、オーディオプレーヤ（例えば、スマートフォン）は、スピーカから音（例えば、音楽）を再生するために、スピーカと通信することができる。当然のことであるが、一部の実施形態では、オーディオプレーヤは、ハート形本体のポート及びコネクタを介してスピーカに（すなわち、装置に）直接接続することができる（例えば、米国特許出願公開第２０１０／０１９０６０７号を参照のこと）。そのような実施形態では、装置は、オーディオプレーヤを保持するために、図１０Ａに示す凹部などの凹部を含むことができる。他の実施形態では、オーディオプレーヤは、無線、ブルートゥース（登録商標）、又は他の適切な接続を介して、スピーカに間接的に接続することができる。さらに当然のことであるが、装置は、使用者がスピーカの電源を入れる及び切ることを可能にするオン／オフスイッチを有することができる。一部の実施形態では、装置は、スピーカの電源が入ったときに、音楽を連続再生するように構成することができる。他の実施形態では、装置は、使用者が使用者の身体の周りで装置を移動させているときにのみ音楽を再生するように、又は使用者が装置の移動を増やした／減らしたときに、音楽のボリュームを上げる／下げるように構成することができる。そのような実施形態では、装置は、使用者をエクササイズに誘導するように構成することができる。
【００４７】
一部の実施形態では、ハート形装置内のスピーカは、音響ヒーリング用に使用することができる。そのような実施形態では、音響は、身体に向かって再生し、身体に伝達することができる。当然のことであるが、使用者は、音を誘導して移動させるように、かつ再生及び伝達される音質を制御するようにハート形装置を制御することができる。米国特許出願公開第２０１０／０１９０６０７号明細書で説明されている音響浴室及び音響入浴を参照されたい。
【００４８】
他の実施形態では、装置は、装置にイルミネーションを施すための光源（例えば、帯状の発光体５４２）を含むことができる。そのような実施形態では、装置は、使用者が消灯及び点灯することを可能にするオン／オフスイッチ（図示せず）を有することができる。当然のことであるが、装置は、発光体を常に点灯させるように構成することができるが、１つ又は複数のイルミネーションプログラムを実行するように構成することもできる。例えば、装置は、装置が移動しているときに点灯させるが、それ以外の場合は発光体を消灯状態に保つように構成することができる。別の実施形態では、装置は、移動するときにイルミネーションの輝度を上げる（例えば、使用者が装置を速く移動させるほど輝度を上げる）ように構成することができる。当然のことであるが、プログラムを使用して、使用者をエクササイズに誘導することができる。
【００４９】
図１３及び図１４の装置５００は、スピーカ及び発光体の両方を有するとして示されているが、当然のことながら、装置は、スピーカのみ及び／又は発光体のみを有することができる。さらに、発光体は、本体の周縁部を囲んで示されているが、発光体は、本体の任意の適切な位置に配置することができる。同様に、スピーカは、本体の中央に（例えば、第３のハンドルに）配置されるとして示されているが、スピーカは、本体の任意の適切な位置に配置することができる。
【００５０】
図１５〜図２９は、ハート形装置が、エクササイズルーチンを行う、又はヒーリング若しくはマッサージを行う個人又はグループによって使用されている例を示す。例えば、装置は、パートナヨガ、アクロヨガ（登録商標）、太極拳ボール、太極拳プッシュハンズ（Tai Chi push hands）、ダンス、及びタントラ（Tantra）で使用することができる。
【００５１】
ハート形エクササイズ装置の恩恵を最大にするために、本発明者が共有する、心身領域でのこれらの作用に対する主要概念の知識を有することは有益である。これは、心と身体とのつながりの確立への第１の必要条件として「目的を設定し」、次いで、結果として達成するという概念である。その意図は、行うべきパターン又は動作が何であるかを心の中に確立することである。あるいは、より深遠には、癒やし、強さを具現化する、恐怖を克服する、成功を引き寄せる、又は日々の生活で他者に対して一層心をこめて感謝の気持ちを抱くなど、人は生活の任意の領域で目的又は目標を立てる。
【００５２】
この概念又は意識が確立されると、実践者は、実践者に利益をもたらし、この目的を補強するように作られた最適動作パターンを「選択する」。これは、戦士のポーズ（Warrior Pose）などのアサナ（asana）でのハタヨーガ（hatha yoga）の根源的な基礎である。この概念の単純で明白な例は、正しい姿勢で背筋を伸ばして座るという発想である。人が意識的にこれを行うと、利益になることを意識的に行う生体フィードバック機構も形成され、さらに、身体を元気にする酸素をより多く取り込む能力をもたらす胸郭の拡張、従って、背骨の伸長、及び器官と脊椎間の空間とに作用する圧力の減圧などの多くの良好な結果も得られる。別の単純な例は、不機嫌な顔をすること、又は笑顔を見せることを意識的に選択することである。これらの例から、数秒間のみ、意識的に選択された身体姿勢を意識的に取ることで、人は異なる情緒的結果を得ることができると分かる。直立の姿勢を取るか、若しくは体を前にかがめるか、又は笑顔を見せるか、若しくは不機嫌な顔を見せるかを選択する。
【００５３】
ハート形エクササイズ装置の場合、使用者は、この装置を持ち上げ、この装置を使用することで、「使用者の心によく」、健康によい活動に従事することになると意識的に又は無意識に分かる。その活動はまた、人が「自らの心に触れるため、思いやり、感謝、及び一般的な幸福の気持ちを呼び起こす。さらに、ハート形エクササイズ装置は、人が様々な流れるような円形エクササイズを行い、他者と共にハート間を横方向につなぐことを可能にする。図１５は、ハート形装置が使用者の胸の前で保持されているのを一定の縮尺で示す。図１６Ａ〜図１６Ｄは、本発明者によって創出された円形動作に使用されているウェートを示す。図１７Ａ〜図１７Ｂ及び図１８Ａ〜図１８Ｂは、それぞれ通常の腕立て伏せ及び腹筋エクササイズに使用されているハート形装置を示す。図１９は、ダウンワードドッグというヨガアサナに使用されているハート形装置を示す。図２０Ａ〜図２０Ｄは、ハート形装置を用いる従来とは異なる片手エクササイズを示す。図２１は、首の後ろをマッサージするのに、丸い突出部を使用する自己マッサージを示す。図２２は、人の背中のツボをマッサージするのに、ハート形装置が療法的にどのように使用できるかを示す。図２３は、ハートの尖頭部を使用する療法士が、患者のツボをどのようにして刺激できるかを示す。図２４は、腰を支持して伸ばすのに、ハートがどのように使用できるかを示す。図２５は、ハートエクササイズ行うためにパートナー同士によって使用されている装置を示す。図２６は、グループによるハートサークルで使用されている装置を示す。
【００５４】
ハート形装置の本発明者によって創出されたフィットネス用の振り付けを利用すると、グループの人々は、サークルの図２６に示すように、実際につながることができる。扇形に広がるハート形装置は、人々をつなぎもし、結合もする手段を形成し、前述のパートナー心身訓練のすべてに対するツールとして使用することができ、パートナー及びグループのエクササイズ形式にそれ自体の独自領域を確立した。
【００５５】
信頼、強さ、及び流れを構築するために、ハート形装置を用いて二人のパートナー間のつながりを形成する、本発明者が創出したエクササイズのタイプの例が、図２５及び図２７Ａ〜図２７Ｄに示されている。図２５は、チューチュー（Choo Choo）を示し、図２７Ａ〜図２７Ｄは、それぞれ、複雑なパートナー流れ、パートナーバランス、パートナースクワット、及びパートナー逆バランスを示す。図２８は、複雑な背合わせ混成及び柔軟性エクササイズルーチンの様々なエクササイズを行っている二人のパートナーを示す。
【００５６】
信頼、強さ、及び流れを構築するために、ハート形装置を用いてチームの構築を強化し、三人以上からなるグループ間のつながりを形成する、本発明者が創出したエクササイズのタイプの例が、図２６及び図２９Ａ〜図２９Ｅに示されている。図２６は、ハートサークルを示し、図２９Ａ〜図２９Ｅは、それぞれ、ハートグループバランス、ハートグループ流れ、ハート持ち上げ、プリエとしてのハートサークル、及びハートグループ逆位を示す。
【００５７】
一部の実施形態では、ハート形装置というツールを通じてパートナー同士、又はグループをつないでいる間の四肢及び関節の伸長により、いずれの状況でも「気」の流れが容易になる。一部の実施形態では、ハート形装置は、フィジカリティ（physicality）によって決まる独自の心身体験をもたらすために、グループがハート形装置間を実際につなぐことを可能にする。
【００５８】
一部の実施形態では、この間接的なつながりは、グループエクササイズを促進する。すなわち、人々は、グループ環境で手を握ることによるグループの結合に抵抗することが多く、手を握った場合でさえ、つながるための確実な方法がない。一部の実施形態では、ハート形装置は、この抵抗を軽減し、人々は刺激を受けて、エゴ及び境界をなくすようにつながる。つながり及び共同体が形成される。背格好、体重、年齢、又はフィットネスのレベルに関係なく、小学校程度の若い人から高齢者まで、個人個人でそのようなつながりを利用することができる。
【００５９】
上記の説明により、フィットネス若しくは医療の専門家であるか、一般人であるか、又はリハビリが必要な人であるかに係わらず、任意の人が本発明者によって発案された概念を理解することが可能になるであろう。さらに、本発明者は、心身方法論が説明及び頒布される、広く行きわたる形態の教育ビデオ形式を考案する予定である。
【００６０】
別の態様によれば、ハート形装置を使用する方法が開示される。一実施形態では、方法は、身体接触面が使用者の身体に隣接し、ハートの丸い突出部が上に位置する状態でハート形装置を把持することを含む（例えば、図１５を参照のこと）。方法は、エクササイズルーチンでハート形装置を使用者の身体の周りで移動させることをさらに含む。一部の実施形態では、方法は、ハート形装置の休止側を面に置き、エクササイズを行うためにハンドルを把持することを含む。他の実施形態では、方法は、二人の使用者間でハート形を把持し、グループエクササイズを行うことを含む。
【００６１】
本教示が様々な実施形態及び例に関連して説明されたが、本教示がそのような実施形態又は例に限定されることは意図されていない。逆に、本教示は、当業者に明らかな様々な代替形態、修正形態、及び均等物を包含する。従って、前述の説明及び図面は単なる例示目的である。
【図１】
2020014880.tif 000003
【図２】
2020014880.tif 000004
【図３】
2020014880.tif 000005
【図４】
2020014880.tif 000006
【図５】
2020014880.tif 000007
【図６】
2020014880.tif 000008
【図７】
2020014880.tif 000009
【図８】
2020014880.tif 000010
【図９】
2020014880.tif 000011
【図１０Ａ】
2020014880.tif 000012
【図１０Ｂ】
2020014880.tif 000013
【図１１】
2020014880.tif 000014
【図１２】
2020014880.tif 000015
【図１３】
2020014880.tif 000016
【図１４】
2020014880.tif 000017
【図１５】
2020014880.tif 000018
【図１６Ａ】
2020014880.tif 000019
【図１６Ｂ】
2020014880.tif 000020
【図１６Ｃ】
2020014880.tif 000021
【図１６Ｄ】
2020014880.tif 000022
【図１７Ａ】
2020014880.tif 000023
【図１７Ｂ】
2020014880.tif 000024
【図１８Ａ】
2020014880.tif 000025
【図１８Ｂ】
2020014880.tif 000026
【図１９】
2020014880.tif 000027
【図２０Ａ】
2020014880.tif 000028
【図２０Ｂ】
2020014880.tif 000029
【図２０Ｃ】
2020014880.tif 000030
【図２０Ｄ】
2020014880.tif 000031
【図２１】
2020014880.tif 000032
【図２２】
2020014880.tif 000033
【図２３】
2020014880.tif 000034
【図２４】
2020014880.tif 000035
【図２５】
2020014880.tif 000036
【図２６】
2020014880.tif 000037
【図２７Ａ】
2020014880.tif 000038
【図２７Ｂ】
2020014880.tif 000039
【図２７Ｃ】
2020014880.tif 000040
【図２７Ｄ】
2020014880.tif 000041
【図２８】
2020014880.tif 000042
【図２９Ａ】
2020014880.tif 000043
【図２９Ｂ】
2020014880.tif 000044
【図２９Ｃ】
2020014880.tif 000045
【図２９Ｄ】
2020014880.tif 000046
【図２９Ｅ】
2020014880.tif 000047
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
ハート形本体と、
前記本体内の２つ以上のハンドルと、を備えるハート形エクササイズ装置。
【外国語明細書】
2020014880000001.pdf